(57)【要約】      （修正有）【課題】デスク本体とミラー板を含み、ミラー板をデスク面としても鏡としても使用可能であるミラー板を引き出し及び反転可能なドレッサーを提供する。【解決手段】ミラー板２はドレッサーのデスク面として使用され、鏡を使用したい場合にはミラー板を反転させればよい。ミラー板はスライドベース３２に従ってスライドすることで、デスク本体に対しスライド位置と反転位置の間でスライド可能であり、ミラー板のスライドによって、ミラー板をデスク面として使用するときの前後の位置を調整可能となる。一方、反転位置にあるミラー板はデスク本体に対し反転可能であるとともに、ミラー板の第１平面がデスク本体の受け部に寄りかかり、反転によって、ミラー板をデスク面として使用するか鏡として使用するかを制御可能である。【選択図】図３
0003225155.tif 000002
【実用新案登録請求の範囲】
【請求項１】
ミラー板を引き出し及び反転可能なドレッサーであって、
デスク本体とミラー板を含み、前記ミラー板は、背を向けて配置される第１平面及び第２平面を有し、第１平面はデスク面を構成し、第２平面にはミラー面が設けられ、
前記デスク本体にはスライド溝と受け部が設けられ、前記スライド溝内にはスライドベースが摺接され、前記ミラー板の後部には反転器が設けられ、ミラー板がスライドベースに従ってスライドするとともにスライドベースに対し揺動可能となるよう、前記反転器とスライドベースが接続され、ミラー板は、スライドベースに従ってスライドすることで、デスク本体に対しスライド位置と反転位置の間でスライド可能であり、反転位置にあるミラー板は、デスク本体に対し反転可能であるとともに、ミラー板の第１平面がデスク本体の受け部に寄りかかることを特徴とするドレッサー。
【請求項２】
前記スライドベースにはコロが設けられており、前記コロがスライド溝内に嵌合及び接続されることを特徴とする請求項１に記載のミラー板を引き出し及び反転可能なドレッサー。
【請求項３】
前記スライドベースはミラー板に背向する第１側面を有し、前記コロは回転軸を介してスライドベースの第１側面に設けられることを特徴とする請求項２に記載のミラー板を引き出し及び反転可能なドレッサー。
【請求項４】
前記デスク本体には水平に間隔を置いて配置される２つのＵ型部が設けられ、前記２つのＵ型部の開口は向き合うように配置され、前記Ｕ型部の内溝が前記スライド溝を構成し、
前記２つのＵ型部のスライド溝内にはいずれもスライドベースが接続され、前記ミラー板の後部には２つの反転器が設けられ、前記２つの反転器と２つのスライドベースがそれぞれ接続されることを特徴とする請求項１に記載のミラー板を引き出し及び反転可能なドレッサー。
【請求項５】
前記スライド溝は水平に配置されることを特徴とする請求項１に記載のミラー板を引き出し及び反転可能なドレッサー。
【請求項６】
前記スライドベースにおけるミラー板に面する第２側面にはボスが突設されており、前記反転器とボスが接続されることを特徴とする請求項１〜５のいずれかに記載のミラー板を引き出し及び反転可能なドレッサー。
【請求項７】
前記反転器は、ミラー板に固定接続される接続スリーブと、接続スリーブ内に回動接続される回動部を含み、前記回動部とスライドベースは対向して固定接続されることを特徴とする請求項１〜５のいずれかに記載のミラー板を引き出し及び反転可能なドレッサー。
【請求項８】
前記スライドベースにおけるミラー板に面する第２側面にはボスが突設されており、前記ボスの端面にはほぞ溝が凹設され、
前記回動部の端面にはほぞが突設され、前記ほぞ溝とほぞが嵌合及び挿接されることを特徴とする請求項７に記載のミラー板を引き出し及び反転可能なドレッサー。
【請求項９】
前記接続スリーブとほぞの間には挿入空洞が形成され、前記ボスの横断面は外部回転面をなしており、前記ボスが挿入空洞内に嵌合及び挿入されることを特徴とする請求項８に記載のミラー板を引き出し及び反転可能なドレッサー。
【請求項１０】
前記回動部と接続スリーブの間には減衰機構が設けられることを特徴とする請求項７に記載のミラー板を引き出し及び反転可能なドレッサー。
【請求項１１】
前記デスク本体内には更に支持部が設けられ、前記スライド溝は支持部よりも高くなっており、且つ、ミラー板の第２平面を支持部により支持可能であり、
前記支持部の上面には、ミラー板の反転のために退避空間を提供する退避部分が凹設されていることを特徴とする請求項１〜５のいずれかに記載のミラー板を引き出し及び反転可能なドレッサー。
【請求項１２】
受け部に寄りかかるミラー板の前側は、更に退避部分に当接することを特徴とする請求項１１に記載のミラー板を引き出し及び反転可能なドレッサー。
【請求項１３】
前記退避部分の位置は反転位置に対応していることを特徴とする請求項１１に記載のミラー板を引き出し及び反転可能なドレッサー。
【請求項１４】
前記デスク本体内には更に仕切りが設けられ、前記仕切りはスライド溝の上方に位置し、前記仕切りの前側の位置が反転位置に対応していることを特徴とする請求項１１に記載のミラー板を引き出し及び反転可能なドレッサー。
【請求項１５】
前記デスク本体には上下に分布する複数の仕切りが設けられ、前記仕切りはスライド溝の上方に位置し、且つ、前記複数の仕切りのうち少なくとも１つの仕切りの前側が前記受け部を構成することを特徴とする請求項１〜５のいずれかに記載のミラー板を引き出し及び反転可能なドレッサー。
【考案の詳細な説明】
【技術分野】
【０００１】
本考案はホームグッズにおけるドレッサーに関し、特に、ミラー板を引き出し及び反転可能なドレッサーに関する。
【背景技術】
【０００２】
中国の特許データベースには、発明の名称を調節可能な鏡を有するドレッサーとする発明出願（特許文献１）が開示されている。当該ドレッサーは、底板と、底板の後部に直立する後部支柱と、枢動可能に底板の前部に固定される前部支柱と、２つの対向する側壁と、前記底板の上方において枢動可能に後部支柱に固定される蓋を含む。好ましい形態において、蓋は底板上方での昇降に適している。上昇時において、当該蓋は、枢動可能に蓋の下側に固定される剛性の鏡スタンドを露出させる。好ましくは、当該鏡スタンドは、枢動可能に鏡スタンドに固定される鏡を含む。当該鏡スタンドは、各側壁に設けられる支持部によって移動可能に支持される。使用中に、当該鏡は鏡スタンドに対し異なる角度位置に枢動可能である。且つ、当該鏡スタンド自体は、蓋に対し異なる角度位置に枢動可能である。前記鏡は必要に応じて角度を調整可能であるが、前記ドレッサーは機能が単一的であるほか、構造が複雑である。そのため、更なる改良の必要がある。
【先行技術文献】
【特許文献】
【０００３】
【特許文献１】中国特許出願公開第１０１４７２５０５号明細書
【考案の概要】
【考案が解決しようとする課題】
【０００４】
本考案は、背景技術のドレッサーに存在する瑕疵を解消したミラー板を引き出し及び反転可能なドレッサーを提供する。
【課題を解決するための手段】
【０００５】
本考案は、技術的課題を解決するために以下の技術方案を用いる。
【０００６】
ミラー板を引き出し及び反転可能なドレッサーであって、デスク本体とミラー板を含み、前記ミラー板は、背を向けて配置される第１平面及び第２平面を有し、第１平面はデスク面を構成し、第２平面にはミラー面が設けられる。前記デスク本体にはスライド溝と受け部が設けられ、前記スライド溝内にはスライドベースが摺接され、前記ミラー板の後部には反転器が設けられ、ミラー板がスライドベースに従ってスライドするとともにスライドベースに対し揺動可能となるよう、前記反転器とスライドベースが接続され、ミラー板はスライドベースに従ってスライドすることで、デスク本体に対しスライド位置と反転位置の間でスライド可能であり、反転位置にあるミラー板は、デスク本体に対し反転可能であるとともに、ミラー板の第１平面がデスク本体の受け部に寄りかかる。
【０００７】
一実施例において、前記スライドベースにはコロが設けられており、前記コロがスライド溝内に嵌合及び接続される。
【０００８】
一実施例において、前記スライドベースはミラー板に背向する第１側面を有し、前記コロは回転軸を介してスライドベースの第１側面に設けられる。
【０００９】
一実施例において、前記デスク本体には水平に間隔を置いて配置される２つのＵ型部が設けられ、前記２つのＵ型部の開口は向き合うように配置され、前記Ｕ型部の内溝が前記スライド溝を構成する。前記２つのＵ型部のスライド溝内にはいずれもスライドベースが接続され、前記ミラー板の後部には２つの反転器が設けられ、前記２つの反転器と２つのスライドベースがそれぞれ接続される。
【００１０】
一実施例において、前記スライド溝は水平に配置される。
【００１１】
一実施例において、前記スライドベースにおけるミラー板に面する第２側面にはボスが突設されており、前記反転器とボスが接続される。
【００１２】
一実施例において、前記反転器は、ミラー板に固定接続される接続スリーブと、接続スリーブ内に回動接続される回動部を含み、前記回動部とスライドベースは対向して固定接続される。
【００１３】
一実施例において、前記スライドベースにおけるミラー板に面する第２側面にはボスが突設されており、前記ボスの端面にはほぞ溝が凹設される。前記回動部の端面にはほぞが突設され、前記ほぞ溝とほぞが嵌合及び挿接される。
【００１４】
一実施例において、前記接続スリーブとほぞの間には挿入空洞が形成され、前記ボスの横断面は外部回転面をなしており、前記ボスが挿入空洞内に嵌合及び挿入される。
【００１５】
一実施例において、前記回動部と接続スリーブの間には減衰機構が設けられる。
【００１６】
一実施例において、前記デスク本体内には更に支持部が設けられ、前記スライド溝は支持部よりも高くなっており、且つ、ミラー板の第２平面を支持部により支持可能である。前記支持部の上面には、ミラー板の反転のために退避空間を提供する退避部分が凹設されている。
【００１７】
一実施例において、受け部に寄りかかるミラー板の前側は更に退避部分に当接する。
【００１８】
一実施例において、前記退避部分の位置は反転位置に対応している。
【００１９】
一実施例において、前記デスク本体内には更に仕切りが設けられ、前記仕切りはスライド溝の上方に位置し、前記仕切りの前側の位置が反転位置に対応している。
【００２０】
一実施例において、前記デスク本体には上下に分布する複数の仕切りが設けられ、前記仕切りはスライド溝の上方に位置し、且つ、前記複数の仕切りのうち少なくとも１つの仕切りの前側が前記受け部を構成する。
【考案の効果】
【００２１】
本技術方案には、背景技術と比較して次のような利点がある。
【００２２】
ミラー板はスライドベースに従ってスライドすることで、デスク本体に対しスライド位置と反転位置の間でスライド可能である。ミラー板のスライドによって、ミラー板をデスク面として使用するときの前後の位置を調整可能となる。一方、反転位置にあるミラー板はデスク本体に対し反転可能であるとともに、ミラー板の第１平面がデスク本体の受け部に寄りかかる。反転によって、ミラー板をデスク面として使用するか鏡として使用するかを制御可能である。ミラー板はデスク面としても鏡としても使用可能である。通常の状態では、ミラー板はドレッサーのデスク面として使用され、鏡を使用したい場合にはミラー板を反転させればよい。
【００２３】
回動部と接続スリーブの間には減衰機構が設けられるため、ミラー板を緩やかに下降させられる。緩やかに下降させる機能によって、ミラー板が急速に下方に反転することによる騒音の発生やミラー面の破損が回避されるとともに、手を挟む可能性も回避される。
【００２４】
以下に、図面と具体的実施形態を組み合わせて、本考案につき更に説明する。
【図面の簡単な説明】
【００２５】
【図１】図１は、ミラー板が初期状態である具体的実施形態のドレッサーの斜視図１である。
【図２】図２は、ミラー板を水平に引き出した状態である具体的実施形態のドレッサーの斜視図２である。
【図３】図３は、ミラー板が反転中である具体的実施形態のドレッサーの斜視図３である。
【図４】図４は、ミラー板が反転完了状態である具体的実施形態のドレッサーの斜視図４である。
【図５】図５は、具体的実施形態のドレッサーの正面図である。
【図６】図６は、図５のＡ部分の断面図１である。
【図７】図７は、図５のＡ部分の断面図２である。
【図８】図８は、図５のＡ部分の斜視図である。
【考案を実施するための形態】
【００２６】
図１〜図８を参照して、ミラー板を引き出し及び反転可能なドレッサーは、デスク本体１とミラー板２を含む。前記デスク本体１は、デスク脚１１、デスク脚１１に固定接続される底板１２、底板１２に固定接続される両側板１３、及び底板１２に固定接続される背板１４を含む。前記ミラー板２は、背を向けて配置される第１平面及び第２平面を有する。第１平面はデスク面２１を構成し、第２平面にはミラー面２２が設けられている。
【００２７】
前記デスク本体１にはスライド溝３１と受け部３４が設けられている。前記スライド溝３１内にはスライドベース３２が摺接され、前記ミラー板２の後部には反転器３３が設けられる。ミラー板２がスライドベース３２に従ってスライドするとともに、スライドベース３２に対し揺動可能となるよう、前記反転器３３とスライドベース３２が接続される。図１及び図２に示すように、ミラー板２はスライドベース３２に従ってスライドすることで、デスク本体１に対しスライド位置と反転位置の間でスライド可能である。ミラー板２のスライドによって、ミラー板２をデスク面として使用するときの前後の位置を調整可能となる。また、図３及び図４に示すように、反転位置にあるミラー板２はデスク本体１に対し反転可能であるとともに、ミラー板２の第１平面２１がデスク本体２の受け部３４に寄りかかる。反転によって、ミラー板２をデスク面として使用するか鏡として使用するかを制御可能である。
【００２８】
前記デスク本体１の両側板１３には、水平に間隔を置いて配置される２つのＵ型部３１１が固設されている。前記２つのＵ型部３１１の開口は向き合うように配置され、前記Ｕ型部３１１の内溝が前記スライド溝３１を構成する。前記スライド溝３１は水平に配置される。また、前記２つのＵ型部３１１のスライド溝内にはいずれもスライドベース３２が接続されている。前記ミラー板２の後部には２つの反転器３３が設けられ、前記２つの反転器３３と２つのスライドベース３２がそれぞれ接続される。上記の構造によれば、スライド及び反転の安定性と円滑性を向上させられる。
【００２９】
前記スライドベース３２は、互いに背を向けて配置される第１側面（ミラー板に背向）と第２側面（ミラー板に面する）を有する。また、前記スライドベース３２には、水平に配置される２つのコロ３２１が設けられている。前記コロ３２１は、回転軸を介してスライドベース３２の第１側面に接続される。前記コロ３２１はスライド溝１１内に嵌合及び接続され、スライドを転動に変えることで摩擦力を低下させる。前記スライドベース３２の第２側面にはボス３２２が突設されており、前記反転器３３とボス３２２が固定接続される。必要に応じ、前記スライド溝における反転に対応する位置にはゴムパッド３１２が設けられる。
【００３０】
前記反転器３３は、ミラー板２に固定接続される接続スリーブ３３１と、接続スリーブ３３１内に回動接続される回動部３３２を含む。前記回動部３３２とスライドベース３２のボス３２２は対向して固定接続される。具体的構造において、前記回動部３３２と接続スリーブ３３１の間には減衰機構が設けられる。これにより、ミラー板は重力の作用によって下方に反転する際に緩やかに下降可能となるため、ミラー面の破損が回避される。前記ボス３２２の端面には、ほぞ溝３２３が凹設されている。また、前記回動部３３２の端面にはほぞ３３３が突設されており、前記ほぞ溝３２３とほぞ３３３が嵌合及び挿接されるため、組み付けが容易である。前記接続スリーブ３３１とほぞ３３３の間には挿入空洞３３４が形成されている。前記ボス３２２の横断面は円柱面をなしており、前記ボス３２２が挿入空洞３３４内に嵌合及び挿入されるため、回動の安定性と信頼度が向上する。必要に応じて、前記反転器３３は更に装飾スリーブ３３５を含む。前記装飾スリーブ３３５は、接続スリーブ３３１の外側に覆設される。
【００３１】
前記デスク本体１の底板１２には、両側板の間に位置する支持部１５が固設されている。前記支持部は、例えば垂直に配置される支持プレートである。前記スライド溝３１の位置は支持部１５の上面よりも高くなっており、ミラー板２をデスク面として使用する際には、ミラー板２の第２平面を支持部１５の上面で支持可能である。これによりミラー板が支持されるため、ミラー板の強度が向上する。また、前記支持プレートと側板、背板、底板及び前板が連携して収納スペースを規定可能である。前記支持部１５の上面には、ミラー板２の反転のために退避空間を提供する退避部分が凹設されている。前記退避部分は、例えば退避開口１５１である。前記退避部分の位置は反転位置に対応している。
【００３２】
前記デスク本体１の両側板の間には、上下に分布する複数の仕切り１６が固設されている。前記仕切り１６はスライド溝の上方に位置する。且つ、前記複数の仕切りのうち少なくとも１つの仕切りの前側が前記受け部３４を構成する。上記の最も低い仕切り１６はスライド溝１１よりもやや高くなっており、当該仕切りの前側の位置が反転位置に対応している。
【００３３】
仕切りの前側の位置と反転位置を対応させるとともに、退避部分の位置と反転位置を対応させることで、前記ミラー板は反転位置にスライドした際に反転スペースを有するため、相対的に反転可能となる。一方、ミラー板はスライド位置に位置する際、支持部の上面と最も低い仕切りに規制されるため反転できず、相対的なスライドのみが可能となる。
【００３４】
前記ミラー板２を鏡として使用する場合には、更に前記ミラー板の前側が退避開口に当接し、前記ミラー板の第１平面が受け部に寄りかかるため、支持が安定的且つ確実となる。
【００３５】
以上の記載は本考案の好ましい実施例にすぎず、本考案の実施範囲はこれに限らない。即ち、実用新案登録請求の範囲及び明細書の内容に基づき実施される等価の変形及び補足は、いずれも本考案の範囲に属する。
【図１】
0003225155.tif 000003
【図２】
0003225155.tif 000004
【図３】
0003225155.tif 000005
【図４】
0003225155.tif 000006
【図５】
0003225155.tif 000007
【図６】
0003225155.tif 000008
【図７】
0003225155.tif 000009
【図８】
0003225155.tif 000010